(57)【要約】【課題】来訪者のあることを容易に確認できるようにする。【解決手段】インターホン６０は、呼出ボタンが操作されたときに来訪者通知情報を生成してリモートコントロール装置に無線信号として送信する。リモートコントロール装置８０は、インターホン６０からの無線信号を受信して来訪者通知情報が得られたとき、テレビジョン装置２０で来訪者通知の提示を行わせる通知提示リモコンコードを生成する。さらに、生成した通知提示リモコンコードをテレビジョン装置２０に無線信号で送信する。テレビジョン装置２０は、リモートコントロール装置８０からの無線信号を受信して通知提示リモコンコードが得られたとき、来訪者通知の提示を行う。放送コンテンツの視聴中であっても来訪者のあることを容易に確認できる。【選択図】        図１
2009010644.tif 000002
【特許請求の範囲】
【請求項１】
テレビジョン装置とリモートコントロール装置とインターホンを用いて構成されるリモートコントロールシステムにおいて、
前記インターホンは、
第１の無線通信部と、
呼出ボタンと、
前記呼出ボタンが操作されたときに来訪者通知情報を生成して前記第１の無線通信部から前記リモートコントロール装置に送信させるインターホン制御部を有し、
前記リモートコントロール装置は、
第２の無線通信部と、
前記テレビジョン装置を遠隔制御するためのリモコンコードを生成するリモコンコード生成部と、
前記第２の無線通信部で無線信号を受信して前記来訪者通知情報が得られたとき、前記テレビジョン装置で来訪者通知の提示を行わせる通知提示リモコンコードを前記リモコンコード生成部で生成させて、前記第２の無線通信部から前記テレビジョン装置に送信させるリモコン制御部を有し、
前記テレビジョン装置は、
第３の無線通信部と、
前記第３の無線通信部で無線信号を受信して前記通知提示リモコンコードが得られたとき、来訪者通知の提示を行わせるテレビジョン制御部を有する
ことを特徴とするリモートコントロールシステム。
【請求項２】
前記インターホンには、
第１のマイクロホンと、
第１のスピーカと、
前記第１のマイクロホンで生成された音声信号を音声送信信号に変換して前記第１の無線通信部に供給し、前記第１の無線通信部で無線信号を受信して得られた音声受信信号を音声出力信号に変換して前記第１のスピーカに供給する第１の音声入出力部を設け、
前記リモートコントロール装置には、
第２のマイクロホンと、
第２のスピーカと、
前記第２のマイクロホンで生成された音声信号を音声送信信号に変換して前記第２の無線通信部に供給し、前記第２の無線通信部で無線信号を受信して得られた音声受信信号を音声出力信号に変換して前記第２のスピーカに供給する第２の音声入出力部を設けた
ことを特徴とする請求項１記載のリモートコントロールシステム。
【請求項３】
前記テレビジョン装置のテレビジョン制御部は、放送信号あるいはネットワークを介して前記リモートコントロール装置の更新ソフトウェアを入手したとき、該更新ソフトウェアを前記第３の無線通信部から前記リモートコントロール装置に送信するものとし、
前記リモートコントロール装置のリモコン制御部は、前記第２の無線通信部で無線信号を受信して前記更新ソフトウェアが得られたとき、該更新ソフトウェアを用いてソフトウェアの更新を行う
ことを特徴とする請求項１記載のリモートコントロールシステム。
【請求項４】
前記第１の無線通信部と前記第２の無線通信部と前記第３の無線通信部は、ＩＥＥＥ８０２．１５．４に準拠した無線通信を行う
ことを特徴とする請求項１記載のリモートコントロールシステム。
【請求項５】
テレビジョン装置とインターホンとの無線通信を行うリモートコントロール装置において、
前記テレビジョン装置および前記インターホンと無線通信を行う無線通信部と、
前記テレビジョン装置を遠隔制御するためのリモコンコードを生成するリモコンコード生成部と、
前記無線通信部で前記インターホンからの無線信号を受信して来訪者通知情報が得られたとき、前記テレビジョン装置で来訪者通知の提示を行わせる通知提示リモコンコードを前記リモコンコード生成部で生成させて、前記無線通信部から前記テレビジョン装置に送信させるリモコン制御部を有する
ことを特徴とするリモートコントロール装置。
【請求項６】
テレビジョン装置とリモートコントロール装置とインターホンを用いたリモートコントロール方法において、
前記インターホンは、
呼出ボタンが操作されたときに来訪者通知情報を生成して前記リモートコントロール装置に無線信号として送信するステップを有し、
前記リモートコントロール装置は、
前記インターホンからの無線信号を受信して前記来訪者通知情報が得られたとき、前記テレビジョン装置で来訪者通知の提示を行わせる通知提示リモコンコードを生成するステップと、
前記生成された通知提示リモコンコードを前記テレビジョン装置に無線信号で送信するステップを有し、
前記テレビジョン装置は、
前記リモートコントロール装置からの無線信号を受信して前記通知提示リモコンコードが得られたとき、来訪者通知の提示を行うステップを有する
ことを特徴とするリモートコントロール方法。
【発明の詳細な説明】
【技術分野】
【０００１】
この発明は、リモートコントロールシステムとリモートコントロール装置およびリモートコントロール方法に関する。詳しくは、インターホンとリモートコントロール装置との無線通信によって、インターホンの呼出ボタンが操作されたことをリモートコントロール装置が検出したとき、来訪者通知の提示を行う通知提示リモコンコードを無線信号としてテレビジョン装置に送信することで、来訪の通知をテレビジョン装置の表示画面で容易に確認できるようにするものである。
【背景技術】
【０００２】
従来、来訪を通知する装置としてインターホン装置が知られている。このインターホン装置では、有線あるいは無線による伝送路を形成して、親機と子機との間で通話等が可能とされている。例えば特許文献１では、インターホン子機とインターホン親機を有線による伝送路を介して接続して、このインターホン親機とインターホン副親機との間に、無線通信を中継する中継端末を設け、インターホン親機は、電波状態に応じて、インターホン副親機と直接無線通信するか、中継端末を介して無線通信するかを選択して、インターホン子機とインターホン副親機との通話等が可能とされている。
【０００３】
【特許文献１】特開２００６−８０６１１号公報
【発明の開示】
【発明が解決しようとする課題】
【０００４】
ところで、特許文献１の発明のインターホン装置では、インターホン子機とインターホン親機を有線による伝送路を介して接続するための配線工事が必要となり、簡単にインターホン装置を構成することができない。また、無線による伝送路を形成するときには、インターホン副親機や中継端末を設ける必要があるため、インターホン装置を安価に構成できない。
【０００５】
さらにインターホン親機やインターホン副親機がテレビジョン装置と離れた場所に設けられていた場合、親機や副親機で来訪の通知が音声で行われても、テレビジョン装置で放送番組等を視聴しているため、来訪の通知に気づかない場合が生じてしまう。
【０００６】
そこで、この発明では簡易な構成で来訪者のあることを容易に確認できるようにしたリモートコントロールシステムとリモートコントロール装置、およびリモートコントロール方法を提供するものである。
【課題を解決するための手段】
【０００７】
この発明の概念は、インターホンとリモートコントロール装置およびリモートコントロール装置とテレビジョン装置で無線通信を行い、インターホンで呼出ボタンの操作が行われたことをリモートコントロール装置が検出したとき、テレビジョン装置で来訪者通知の提示が行われるようにリモコンコードを送信することにある。
【０００８】
この発明のリモートコントロールシステムは、テレビジョン装置とリモートコントロール装置とインターホンを用いて構成されるリモートコントロールシステムにおいて、インターホンは、第１の無線通信部と、呼出ボタンと、呼出ボタンが操作されたときに来訪者通知情報を生成して第１の無線通信部からリモートコントロール装置に送信させるインターホン制御部を有し、リモートコントロール装置は、第２の無線通信部と、テレビジョン装置を遠隔制御するためのリモコンコードを生成するリモコンコード生成部と、第２の無線通信部で無線信号を受信して来訪者通知情報が得られたとき、テレビジョン装置で来訪者通知の提示を行わせる通知提示リモコンコードをリモコンコード生成部で生成させて、第２の無線通信部からテレビジョン装置に送信させるリモコン制御部を有し、テレビジョン装置は、第３の無線通信部と、第３の無線通信部で無線信号を受信して通知提示リモコンコードが得られたとき、来訪者通知の提示を行わせるテレビジョン制御部を有するものである。
【０００９】
また、この発明に係るリモートコントロール装置は、テレビジョン装置とインターホンとの無線通信を行うリモートコントロール装置において、テレビジョン装置およびインターホンと無線通信を行う無線通信部と、テレビジョン装置を遠隔制御するためのリモコンコードを生成するリモコンコード生成部と、無線通信部でインターホンからの無線信号を受信して来訪者通知情報が得られたとき、テレビジョン装置で来訪者通知の提示を行わせる通知提示リモコンコードをリモコンコード生成部で生成させて、無線通信部からテレビジョン装置に送信させるリモコン制御部を有するものである。
【００１０】
また、この発明に係るリモートコントロール方法は、テレビジョン装置とリモートコントロール装置とインターホンを用いたリモートコントロール方法において、インターホンは、呼出ボタンが操作されたときに来訪者通知情報を生成してリモートコントロール装置に無線信号として送信するステップを有し、リモートコントロール装置は、インターホンからの無線信号を受信して来訪者通知情報が得られたとき、テレビジョン装置で来訪者通知の提示を行わせる通知提示リモコンコードを生成するステップと、生成された通知提示リモコンコードをテレビジョン装置に無線信号で送信するステップを有し、テレビジョン装置は、リモートコントロール装置からの無線信号を受信して通知提示リモコンコードが得られたとき、来訪者通知の提示を行うステップを有するものである。
【発明の効果】
【００１１】
この発明によれば、インターホンでは、呼出ボタンが操作されたときに来訪者通知情報がリモートコントロール装置に無線信号として送信される。リモートコントロール装置では、インターホンからの無線信号を受信して来訪者通知情報が得られたとき、テレビジョン装置で来訪者通知の提示を行わせる通知提示リモコンコードがテレビジョン装置に無線信号として送信される。テレビジョン装置では、リモートコントロール装置からの無線信号を受信して通知提示リモコンコードが得られたとき、来訪者通知の提示が行われる。このため、テレビジョン装置で放送番組等を視聴していても、来訪の通知を容易に確認できる。また有線の伝送路を設ける必要がなく構成を簡易とすることができる。
【発明を実施するための最良の形態】
【００１２】
以下、図を参照しながら、この発明の実施の一形態について説明する。図１は、本実施の形態に係るリモートコントロールシステム１０の構成を示す図である。このリモートコントロールシステム１０は、テレビジョン装置２０とインターホン６０およびリモートコントロール装置８０を備えている。
【００１３】
図２は、テレビジョン装置の構成を示している。アンテナ２１で放送波を受信することにより得られた放送信号ＳRFは、フロントエンド部２２に供給される。
【００１４】
フロントエンド部２２は、チューナ部や復調部を用いて構成されている。チューナ部は、後述するテレビジョン制御部５１からの制御信号ＣＴtuに基づいて選局処理を行い、放送信号ＳRFから選局したチャンネルの中間周波信号を生成して復調部に供給する。復調部は、中間周波信号のディジタル復調処理を行い、得られたトランスポートストリームＴＳをデマルチプレクサ２３に供給する。
【００１５】
デマルチプレクサ２３は、トランスポートストリームＴＳから時分割多重されている所望の映像パケットや音声パケット、番組表やソフトウェア等の情報パケットを抽出する処理を行う。また、パケットを抽出することにより得られた映像信号ＰＤvと音声信号ＰＤaはデコーダ部２４、情報信号ＰＤdはテレビジョン制御部５１にそれぞれ供給する。なお、デマルチプレクサ２３の動作は、テレビジョン制御部５１からの制御信号ＣＴmpに基づいて制御される。
【００１６】
デコーダ部２４は、映像信号ＰＤvと音声信号ＰＤaの復号を行い、得られた映像信号ＳＶtuと音声信号ＳＡtuを入力切換部２６に供給する。
【００１７】
外部入力端子２５は、外部機器（図示せず）から出力された映像信号ＳＶexや音声信号ＳＡexをテレビジョン装置２０に入力するためのものである。この外部入力端子２５から入力された映像信号ＳＶexや音声信号ＳＡexは、入力切換部２６に供給する。
【００１８】
入力切換部２６は、テレビジョン制御部５１からの制御信号ＣＴseに基づき、デコーダ部２４や外部入力端子２５から供給された映像信号や音声信号の選択を行い、選択した映像信号ＳＶaを映像信号処理部３１、選択した音声信号ＳＡaを音声信号処理部４１に供給する。
【００１９】
映像信号処理部３１は、テレビジョン制御部５１から供給された制御信号ＣＴvに基づき、映像信号ＳＶaに対して種々の映像処理を行い、映像処理後の映像信号ＳＶbを重畳処理部３２に供給する。映像信号処理部３１は、映像処理としてコントラスト調整、ノイズリダクション処理、明るさ調整、ガンマ補正、色調整(色相、彩度)、インタレース方式の映像信号をプログレッシブ方式の映像信号に変換するＩ／Ｐ変換処理、後述する表示部３３の解像度に合わせて水平および垂直方向の画素数を調整するスケーリング処理、映像信号のフレームレート変換処理等を必要に応じて行う。
【００２０】
重畳処理部３２は、テレビジョン制御部５１からの制御信号ＣＴjに基づいて、表示部３３の画面上に表示する文字画像等の表示信号を生成する。さらに生成した表示信号を、映像信号処理部３１から供給された映像信号ＳＶbに重畳して映像信号ＳＶcを生成して表示部３３に供給する。
【００２１】
表示部３３は、例えばＰＤＰ(Plasma Display Panel)、ＬＣＤ(Liquid Crystal Display)、ＦＥＤ(Field Emission Display)、有機ＥＬ(Electro Luminescence)等のフラットパネルディスプレイデバイスや陰極線管等の表示デバイスを用いて構成されている。表示部３３は、重畳処理部３２から供給された映像信号ＳＶbに基づき、表示デバイスを駆動して、放送コンテンツの映像や文字画像等が重畳された映像を画面上に表示する。
【００２２】
音声信号処理部４１は、テレビジョン制御部５１から供給された制御信号ＣＴaに基づき、音声信号ＳＡaに対して音質調整や音量調整を行う。また、音声信号処理部４１にはスピーカ４２が接続されており、調整処理後の音声信号である音声出力信号ＳＡbによってスピーカ４２を駆動して放送コンテンツ等の音声を出力する。
【００２３】
テレビジョン制御部５１は、マイクロコンピュータ等を用いて構成されており、メモリ部５２や無線通信部５３が接続されている。
【００２４】
メモリ部５２は、テレビジョン装置２０を動作させるためのプログラム、種々の設定情報が記憶される。
【００２５】
無線通信部５３は、リモートコントロール装置８０等と双方向無線通信を行うためのものであり、無線通信部５３にはアンテナ５４が接続されている。無線通信部５３は、近距離通信を想定した低通信レート向けの規格であるＩＥＥＥ８０２．１５．４に準拠して、２．４ＧＨｚの周波数帯域を用いて無線通信を行う。例えば無線通信部５３は、テレビジョン制御部５１から供給された送信信号ＴＤsをパケット化したのちアドレス等のヘッダ情報を付加して、Ｏ−ＱＰＳＫ(Offset Quadrature Phase Shift Keying )変調処理を行う。この変調処理によって得られた変調信号を、ＤＳＳＳ(Direct Sequence Spread Spectrum)方式で拡散変調して、２．４ＧＨｚの周波数帯の無線信号として送信する。
【００２６】
また、無線通信部５３は、無線信号を受信して逆拡散処理を行い、ＤＳＳＳ方式で拡散変調される前の変調信号に戻し、この変調信号の復調処理を行うことで、Ｏ−ＱＰＳＫ変調処理前の信号に戻してベースバンド信号を生成する。ここで、ベースバンド信号から自己宛のパケットの抽出処理等を行うことで得られた受信信号をテレビジョン制御部５１に供給する。例えば受信信号としてリモコンコードＲＭが得られたとき、このリモコンコードＲＭをテレビジョン制御部５１に供給する。
【００２７】
なお、テレビジョン装置２０と例えばリモートコントロール装置８０との間で電波を用いた無線通信を行う場合、従来の赤外線を用いた無線通信に比べて指向性が広いことから、リモートコントロール装置８０で遠隔制御されるテレビジョン装置２０の周辺に他の電子機器が設置されていると、意図しない装置が操作されてしまうおそれがある。そこで、テレビジョン装置２０と無線通信を行うリモートコントロール装置８０等の間で予めペアリングを行い、ペアリングによって設定した識別情報をヘッダに含めて無線通信を行い、受信した信号から正しい識別情報をヘッダに含むパケットのみを抽出することで、テレビジョン装置２０と予め登録したリモートコントロール装置８０等との間でのみ無線通信を行うことができるようになる。
【００２８】
テレビジョン制御部５１は、メモリ部５２から読み出したプログラムを実行して、無線通信部５３から供給されたリモコンコードＲＭやメモリ部５２に記憶されている設定情報等に基づき種々の制御信号を生成して各部に供給することで、テレビジョン装置２０の動作がユーザ操作に応じた動作となるように各部を制御する。また、テレビジョン制御部５１は、リモートコントロール装置８０の更新ソフトウェアを入手したとき、更新ソフトウェアの送信通知や更新ソフトウェアを送信信号ＴＤsとして無線通信部５３に供給して、無線通信部５３からリモートコントロール装置８０に無線信号として送信する処理を行う。
【００２９】
また、テレビジョン制御部５１は、無線通信部５３を用いて無線通信を行う場合、動作モードとして通常モードと間欠受信モードの切り換えが可能とされている。通常モードは、無線通信部５３で無線信号を常に受信できる動作モードである。間欠受信モードは、動作状態と休止状態を繰り返すことで、無線信号の受信を間欠的に行い、通常モードよりも消費電力を削減した動作モードである。
【００３０】
次に、インターホン６０の構成を図３に示す。インターホン６０は、呼出ボタン６１、マイクロホン６２、スピーカ６３、音声入出力部６４、無線通信部６５、アンテナ６６およびインターホン制御部６７を有している。
【００３１】
呼出ボタン６１は、来訪者によって操作されるボタンであり、来訪者の操作に応じて呼出信号ＰＱをインターホン制御部６７に供給する。
【００３２】
マイクロホン６２は、来訪者の音声を音声信号ＳＡgtに変換して音声入出力部６４に供給する。また、スピーカ６３は、音声入出力部６４から供給された音声出力信号ＳＡhrで駆動されて音声出力を行う。
【００３３】
音声入出力部６４は、マイクロホン６２から供給された音声信号ＳＡgtを音声送信信号ＴＤgに変換して無線通信部６５に供給する。例えば音声信号ＳＡgtを所定レベルの信号に増幅したのちディジタル音声信号に変換して、音声送信信号ＴＤgとして無線通信部６５に供給する。なお、音声入出力部６４はディジタル音声信号のデータ圧縮を行い、圧縮後の音声信号を音声送信信号ＴＤgとして無線通信部６５に供給するものとしてもよい。
【００３４】
また、音声入出力部６４は、無線通信部６５から供給された音声受信信号ＲＤhをアナログの音声信号に変換したのち所定レベルの音声信号として、この音声信号を音声出力信号ＳＡhrとしてスピーカ６３に供給する。なお、音声入出力部６４は音声受信信号ＲＤhがデータ圧縮された信号であるとき伸長処理を行い、伸長後の音声信号を音声出力信号ＳＡhrとしてスピーカ６３に供給するものとしてもよい。
【００３５】
無線通信部６５は、無線通信部５３と同様にリモートコントロール装置８０等と双方向無線通信を行うためのものであり、ＩＥＥＥ８０２．１５．４に準拠して２．４ＧＨｚの周波数帯域を用いて無線通信を行う。
【００３６】
無線通信部６５は、音声入出力部６４から供給された音声送信信号ＴＤgをパケット化したのちアドレス等のヘッダ情報を付加する。さらに、Ｏ−ＱＰＳＫ(Offset Quadrature Phase Shift Keying )方式で変調する。この変調処理によって得られた変調信号を、ＤＳＳＳ(Direct Sequence Spread Spectrum)方式で拡散変調したのち２．４ＧＨｚの周波数帯の無線信号としてアンテナ６６から送信する。また、無線通信部６５は、後述するようにインターホン制御部６７から来訪者通知情報ＧＱが供給されたとき、この来訪者通知情報ＧＱを無線信号として送信する処理を行う。
【００３７】
また、無線通信部６５は、無線信号を受信して逆拡散処理を行い、ＤＳＳＳ方式で拡散変調される前の変調信号に戻し、さらに復調処理を行うことで、Ｏ−ＱＰＳＫ変調処理前の信号に戻してベースバンド信号を生成する。ここで、ベースバンド信号から自己宛のパケットの抽出処理等を行うことで得られた受信信号が音声受信信号ＲＤhであるときは、この音声受信信号ＲＤhを音声入出力部６４に供給する。また、得られた受信信号がコマンド等を示す情報信号ＳＤhであるときは、この情報信号ＳＤhをインターホン制御部６７に供給する。
【００３８】
なお、インターホン６０とリモートコントロール装置８０等の間で無線通信を行う場合にも予め上述したようなペアリングを行い、インターホン６０と予め登録したリモートコントロール装置８０等でのみ正しく無線通信を行うことができるようにする。
【００３９】
インターホン制御部６７は、マイクロコンピュータ等を用いて構成されており例えば内蔵しているメモリに記憶されているソフトウェアを実行して制御動作を行う。すなわち、インターホン制御部６７は、制御信号ＣＴpaを無線通信部６５に供給して無線通信動作を制御する。また、インターホン制御部６７は、呼出信号ＰＱが供給されたとき、来訪者通知情報ＧＱを生成して無線通信部６５に供給することで、無線信号として送信させる。さらに、インターホン制御部６７は、制御信号ＣＴpbを音声入出力部６４に供給して、音声信号の送信時例えば無線通信部６５から供給された情報信号ＳＤhによって音声信号の要求がなされたことを判別したとき、音声入出力部６４から音声送信信号ＴＤgを無線通信部６５に供給させる。また、音声信号の受信時例えば無線通信部６５から供給された情報信号ＳＤhによって音声信号の送信の通知を判別したとき、無線通信部６５から供給された音声受信信号ＲＤhを処理して音声出力信号ＳＡhrをスピーカ６３に供給させる。なお、インターホン６０においても、動作モードとして通常モードと間欠受信モードの切り換えを可能とする。
【００４０】
図４は、リモートコントロール装置の構成、図５はリモートコントロール装置の外観を示している。リモートコントロール装置８０は、操作キー部８１、リモコンコード生成部８２、マイクロホン８３、スピーカ８４、音声入出力部８５、無線通信部８６、アンテナ８７、リモコン制御部８８およびメモリ部８９を有している。
【００４１】
操作キー部８１には、ユーザがテレビジョン装置２０の操作等を行うときに操作される複数の操作キーが設けられている。例えば、図５に示すように、テレビジョン装置の電源をオンオフさせるための電源キー８１１、チャンネルや音量のアップ／ダウンキー８１２、インターホンを介して来訪者と通話を行うための通話キー８１３等の種々の操作キーが設けられている。操作キー部８１は、操作された操作キーに応じた操作信号ＰＳを後述するリモコン制御部８８に供給する。
【００４２】
リモコンコード生成部８２は、リモコン制御部８８から供給された制御信号ＣＴraに基づきリモコンコードＲＭを生成して無線通信部８６に供給する。
【００４３】
マイクロホン８３は、リモートコントロール装置８０の操作者の音声を音声信号ＳＡhtに変換して音声入出力部８５に供給する。また、スピーカ８４は、音声入出力部８５から供給された音声出力信号ＳＡgrで駆動されて音声出力を行う。
【００４４】
音声入出力部８５は、マイクロホン８３から供給された音声信号ＳＡhtを音声送信信号ＴＤhに変換して無線通信部８６に供給する。例えば音声信号ＳＡhtを所定レベルの信号に増幅したのちディジタル音声信号に変換して、音声送信信号ＴＤhとして無線通信部８６に供給する。なお、音声入出力部８５はディジタル音声信号のデータ圧縮を行い、圧縮後の音声信号を音声送信信号ＴＤhとして無線通信部８６に供給するものとしてもよい。
【００４５】
また、音声入出力部８５は、無線通信部８６から供給された音声受信信号ＲＤgをアナログの音声信号に変換したのち所定レベルの音声信号として、この音声信号を音声出力信号ＳＡgrとしてスピーカ８４に供給する。なお、音声入出力部８５は音声受信信号ＲＤgがデータ圧縮された信号であるとき伸長処理を行い、伸長後の音声信号を音声出力信号ＳＡgrとしてスピーカ８４に供給するものとしてもよい。
【００４６】
無線通信部８６は、無線通信部５３，６５と同様にテレビジョン装置２０やインターホン６０等と双方向無線通信を行うためのものであり、ＩＥＥＥ８０２．１５．４に準拠して２．４ＧＨｚの周波数帯域を用いて無線通信を行う。
【００４７】
無線通信部８６は、リモコンコード生成部８２から供給されたリモコンコードＲＭや音声入出力部８５から供給された音声送信信号ＴＤhをパケット化したのちアドレス等のヘッダ情報を付加して、Ｏ−ＱＰＳＫ方式で変調する。この変調処理によって得られた変調信号を、ＤＳＳＳ(Direct Sequence Spread Spectrum)方式で拡散変調して２．４ＧＨｚの周波数帯の無線信号としてアンテナ８７から送信する。
【００４８】
また無線通信部８６は、無線信号を受信して逆拡散処理を行い、ＤＳＳＳ方式で拡散変調される前の変調信号に戻し、さらに復調処理を行うことで、Ｏ−ＱＰＳＫ変調処理前の信号に戻してベースバンド信号を生成する。ここで、ベースバンド信号から自己宛のパケットの抽出処理等を行うことで得られた受信信号が音声受信信号ＲＤgであるときは、この音声受信信号ＲＤgを音声入出力部８５に供給する。また、得られた受信信号が来訪者通知情報ＧＱ等の情報信号であるときは、この情報信号をリモコン制御部８８に供給する。
【００４９】
なお、リモートコントロール装置８０は、上述したようにテレビジョン装置２０やインターホン６０との間で予めペアリングを行い、予め登録したテレビジョン装置２０やインターホン６０等でのみ正しく無線通信を行うことができるようにする。
【００５０】
リモコン制御部８８はマイクロコンピュータ等を用いて構成されており、メモリ部８９が接続されている。メモリ部８９は例えば不揮発性メモリで構成されており、操作キー部８１のキー操作に応じてリモートコントロール装置８０を動作させたり、無線通信等を行うためのソフトウェアが書き換え可能に記憶されている。リモコン制御部８８は、メモリ部８９に記憶されているソフトウェアを読み出して実行することでリモートコントロール装置８０を動作させる。
【００５１】
リモコン制御部８８は、操作キー部８１から操作信号ＰＳが供給されたとき、操作キー部８１での操作に応じた制御信号ＣＴraをリモコンコード生成部８２に供給して、操作キー部８１での操作に応じたリモコンコードＲＭを無線通信部８６に供給させる。また、リモコン制御部８８は、無線通信部８６から供給された情報信号が来訪者通知情報ＧＱを示すとき、制御信号ＣＴraをリモコンコード生成部８２に供給して、テレビジョン装置２０で来訪者通知の提示を行うためのリモコンコード（以下「来訪者通知リモコンコード」という）ＲＭ-gを無線通信部８６に供給させる。
【００５２】
また、リモコン制御部８８は、制御信号ＣＴrbを音声入出力部８５に供給して、音声信号の送信時例えば操作キー部８１の通話キー８１３が押下されていることを判別したとき、音声入出力部８５から音声送信信号ＴＤhを無線通信部８６に供給させる。音声信号の受信時、例えば来訪者通知情報ＧＱの供給後で通話キー８１３が押下されていないときにインターホン６０に音声信号の要求を行うものとして、この音声信号の要求後に無線通信部８６から供給された音声受信信号ＲＤgを処理して得られた音声出力信号ＳＡgrをスピーカ８４に供給させる。
【００５３】
さらに、インターホン制御部６７は、音声信号の要求あるいは通話を終了する終了通知等を示す情報信号ＳＤhや制御信号ＣＴrcを生成して無線通信部８６に供給することで、音声信号の無線通信やリモコンコードＲＭや情報信号ＳＤhの無線送信等を行わせる。なお、リモートコントロール装置８０においても、動作モードとして通常モードと間欠受信モードの切り換えを可能とする。
【００５４】
次に、リモートコントロールシステム１０の動作について説明する。図６は、インターホンの動作、図７はリモートコントロール装置の動作を示すフローチャートである。
【００５５】
図６のステップＳＴ１において、インターホン制御部６７は呼出ボタン６１が操作されたか否かを判別する。インターホン制御部６７は、呼出ボタン６１が操作されていないときはステップＳＴ１に戻り、呼出ボタン６１が操作されたときはステップＳＴ２に進む。
【００５６】
ステップＳＴ２でインターホン制御部６７は来訪者通知処理を行う。インターホン制御部６７は、来訪者通知情報ＧＱを生成して無線通信部６５に供給して、リモートコントロール装置８０を送信先とした無線信号として送信させてステップＳＴ３に進む。
【００５７】
ステップＳＴ３でインターホン制御部６７は、動作モードを間欠受信モードから通常モードに切り換えてステップＳＴ４に進む。間欠受信モードでリモートコントロール装置８０と音声通信を行うものとした場合、音声信号の欠落が生じてしまう。また、音声信号の欠落を生じないようにするためには、欠落した音声信号の再送等を行わなければならないことから通信時間が長くなり、音声の遅れのない通話を行うことができなくなってしまう。このため、動作モードを間欠受信モードから通常モードに切り換えて、良好に通話を行えるようにする。
【００５８】
ステップＳＴ４でインターホン制御部６７は、リモートコントロール装置８０からの無線信号の受信を行いステップＳＴ５に進む。
【００５９】
ステップＳＴ５でインターホン制御部６７は、受信した信号が音声信号であるか否かを判別して、音声信号であるときはステップＳＴ６に進み、音声信号でないときはステップＳＴ７に進む。
【００６０】
ステップＳＴ６でインターホン制御部６７は音声出力処理を行う。すなわち、インターホン制御部６７は、音声入出力部６４を制御して、音声受信信号ＲＤhに基づく音声出力信号ＳＡhrをスピーカ６３に供給させてステップＳＴ４に戻る。このため、スピーカ６３からは、リモートコントロール装置８０から送信された音声が出力される。
【００６１】
ステップＳＴ５で受信した信号が音声信号でないと判別してステップＳＴ７に進むと、インターホン制御部６７は、受信した信号が音声信号の要求であるか否かを判別する。インターホン制御部６７は、受信した信号が音声信号要求であるときステップＳＴ８に進み、音声信号要求でないときはステップＳＴ９に進む。
【００６２】
ステップＳＴ８でインターホン制御部６７は、音声信号送信処理を行う。すなわち、インターホン制御部６７は、音声入出力部６４と無線通信部６５を制御して、マイクロホン６２で生成された音声信号ＳＡgtを音声送信信号ＴＤgに変換して無線通信部６５に供給して、リモートコントロール装置８０を送信先とした無線信号として送信させたのちステップＳＴ４に戻る。
【００６３】
ステップＳＴ９でインターホン制御部６７は、受信した信号が終了通知であるか否かを判別する。インターホン制御部６７は、受信した信号が終了通知であるときステップＳＴ１０に進み、終了通知でないときステップＳＴ４に戻る。
【００６４】
ステップＳＴ１０でインターホン制御部６７は動作モードを通常モードから間欠受信モードに切り換えることでインターホン６０の消費電力を低減させてステップＳＴ１に戻る。
【００６５】
図７のステップＳＴ２１でリモコン制御部８８は来訪者通知情報ＧＱが供給されたか否かを判別する。リモコン制御部８８は、インターホン６０から来訪者通知情報ＧＱが供給されたときステップＳＴ２２に進み、来訪者通知情報ＧＱが供給されていないときはステップＳＴ３１に進む。
【００６６】
ステップＳＴ２２でリモコン制御部８８は、通知提示リモコンコードＲＭ-gの送信処理を行い、通知提示リモコンコードＲＭ-gをリモコンコード生成部８２から無線通信部８６に供給させて、テレビジョン装置２０を送信先とした無線信号として送信させる。
【００６７】
ステップＳＴ２３でリモコン制御部８８は、動作モードを間欠受信モードから通常モードに切り換えて、インターホン６０を介した通話を良好に行えるようにしてステップＳＴ２４に進む。
【００６８】
ステップＳＴ２４でリモコン制御部８８は操作キー部８１の通話キー８１３が操作されているか否かを判別する。リモコン制御部８８は通話キーが例えば押下されているときにはステップＳＴ２５に進み、押下されていないときはステップＳＴ２６に進む。
【００６９】
ステップＳＴ２５でリモコン制御部８８は音声信号送信処理を行う。すなわち、リモコン制御部８８は、音声入出力部８５と無線通信部８６を制御して、マイクロホン８３で生成された音声信号ＳＡhtを音声送信信号ＴＤhに変換して無線通信部８６に供給させて、インターホン６０を送信先とした無線信号として送信させたのちステップＳＴ２８に進む。
【００７０】
ステップＳＴ２６でリモコン制御部８８は音声信号要求処理を行う。リモコン制御部８８は、音声信号の要求を情報信号ＳＤhとして無線通信部８６に供給して、インターホン６０を送信先とした無線信号として送信させたのちステップＳＴ２７に進む。
【００７１】
ステップＳＴ２７でリモコン制御部８８は音声出力処理を行う。すなわち、リモコン制御部８８は、音声入出力部８５を制御して、音声受信信号ＲＤgに基づく音声出力信号ＳＡgrをスピーカ８４に供給させてステップＳＴ２８に進む。このため、スピーカ８４からは、インターホン６０から送信された音声が出力される。
【００７２】
ステップＳＴ２８でリモコン制御部８８は、通話処理を終了するか否かを判別する。リモコン制御部８８は、通話処理を終了すると判別したとき例えば操作キー部８１において通話処理を終了する操作がなされたと判別したとき、あるいは来訪者通知情報ＧＱが供給されてから所定時間が経過したと判別したときステップＳＴ２９に進む。また、通話処理を終了しないと判別したとき例えば通話処理を終了する操作がなされておらず、来訪者通知情報ＧＱが供給されてから所定時間が経過していないと判別したときステップＳＴ２４に戻る。
【００７３】
ステップＳＴ２９でリモコン制御部８８は終了通知を行う。リモコン制御部８８は、終了通知を情報信号ＳＤhとして無線通信部８６に供給して、インターホン６０を送信先とした無線信号として送信させたのちステップＳＴ３０に進む。
【００７４】
ステップＳＴ３０でリモコン制御部８８は動作モードを、通常モードから間欠受信モードに切り換えて、リモートコントロール装置８０の消費電力を低減させてステップＳＴ２１に戻る。
【００７５】
ステップＳＴ２１で来訪者通知情報ＧＱの供給がないと判別されてステップＳＴ３１に進むと、リモコン制御部８８は、リモコン信号送信処理を行ってステップＳＴ２１に戻る。このリモコン信号送信処理において、リモコン制御部８８は、操作キー部８１からの操作信号ＰＳに基づきユーザのキー操作に対応したリモコンコードＲＭをリモコンコード生成部８２から無線通信部８６に供給させて、テレビジョン装置２０を送信先とした無線信号として送信させる。
【００７６】
なお、図６と図７に示すインターホン６０の動作とリモートコントロール装置８０の動作では、インターホン６０とリモートコントロール装置８０との間で通話を行う場合に、リモートコントロール装置８０が通話の制御を行うものとしたが、インターホン６０とリモートコントロール装置８０は、無線伝送路で通信が行われていないアイドル期間をそれぞれ検出して、音声信号の送信を行うものとしてもよい。
【００７７】
また、テレビジョン装置２０やインターホン６０およびリモートコントロール装置８０において、消費電力を削減するために動作モードが間欠受信モードに設定されていると、無線信号の送信時間が間欠受信モードおける休止状態の期間よりも短いとき、無線信号を正しく受信することができない。このため、無線信号の送信期間は間欠受信モードにおける休止状態の期間よりも長くなるように設定する。
【００７８】
このように、インターホン６０からリモートコントロール装置８０に来訪者通知情報ＧＱが供給されたときには、テレビジョン装置２０で来訪者通知の提示を行うための通知提示リモコンコードＲＭ-gが無線信号でテレビジョン装置２０に供給されて、テレビジョン装置２０で来訪者通知の提示が行われる。例えば来訪者通知の提示として、図８に示すような来訪者通知表示ＨＧが行われる。このため、ユーザはテレビジョン装置２０で放送番組等を視聴しているときであっても、来訪の通知を容易に確認できる。なお、来訪者通知の提示は、映像に限られるだけでなく、音声で来訪者通知の提示を行うものとしてもよい。例えば通知提示リモコンコードＲＭ-gがテレビジョン制御部５１に供給されたとき、テレビジョン制御部５１は来訪者通知の提示を行うための音声信号を音声信号処理部４１に供給することでスピーカ４２から来訪者があることを音声で提示することができる。
【００７９】
また、電波を用いてインターホン６０とリモートコントロール装置８０や、テレビジョン装置２０とリモートコントロール装置８０で通信が行われることから、有線の伝送路を設ける必要がなく構成が簡易であり、リモートコントロールシステムを容易に構築できる。また、赤外線を用いる場合に比べて指向性が広いので、リモートコントロール装置８０をテレビジョン装置２０やインターホン６０の方向に向いていなくとも、無線通信を行うことができる。
【００８０】
さらに、従来のインターホン装置では、来訪の通知に応答するとき親機の設置場所まで移動して親機の操作等を行う必要があるため、放送番組等の視聴が中断されてしまうという課題がある。しかし、リモートコントロール装置８０にマイクロホン８３とスピーカ８４が設けられており、操作キー部８１の通話キー８１３を操作することで来訪者との通話が可能とされるので、放送番組等の視聴を中断することなく来訪者に対する応答が可能となる。
【００８１】
また、テレビジョン装置２０は、通知提示リモコンコードＲＭ-gが供給されたとき来訪者通知の提示を行うように予め設定するだけでよく、インターホン６０との通信を行うためのソフトウェア等を用いる必要がないので、テレビジョン装置２０を容易に対応させることができる。
【００８２】
ところで、インターホン６０の機能の追加や新たなインターホンの設置等が行われたとき、リモートコントロール装置８０のソフトウェアを更新しないと追加された機能の利用や新たなインターホンとの通信を行うことができない場合が生ずる。このような場合、放送信号に更新ソフトウェアを重畳して送信するものとしたり、テレビジョン装置２０がネットワークと接続されているときには、ネットワークを介してテレビジョン装置２０に更新ソフトウェアを供給できるようにする。テレビジョン装置２０は、放送信号あるいはネットワークから更新ソフトウェアを入手したとき、この更新ソフトウェアを無線信号でリモートコントロール装置８０に供給して、リモートコントロール装置８０のソフトウェアを更新させる。
【００８３】
図９はソフトウェアの更新を行う場合のテレビジョン装置２０の動作を示すフローチャートであり、図１０はソフトウェアの更新を行う場合のリモートコントロール装置８０の動作を示すフローチャートである。
【００８４】
図９のステップＳＴ４１でテレビジョン制御部５１は、更新ソフトウェアが入手できたか否かを判別する。テレビジョン制御部５１は、例えば放送信号に重畳されている更新ソフトウェアのパケットを抽出できるようにフロントエンド部２２やデマルチプレクサ２３を制御して、更新ソフトウェアを入手できたときステップＳＴ４２に進む。また更新ソフトウェアの提供が行われていないときはソフトウェアの更新を終了する。
【００８５】
ステップＳＴ４２でテレビジョン制御部５１は、更新ソフトウェアの送信通知を行う。テレビジョン制御部５１は、更新ソフトウェアの送信通知を送信信号ＴＤsとして無線通信部５３に供給する。さらに、テレビジョン制御部５１は、無線通信部５３からリモートコントロール装置８０を送信先とした無線信号として送信させてステップＳＴ４３に進む。
【００８６】
ステップＳＴ４３でテレビジョン制御部５１は、更新ソフトウェアの送信処理を行う。テレビジョン制御部５１は、更新ソフトウェアを送信信号ＴＤsとして無線通信部５３に供給する。さらに、テレビジョン制御部５１は、無線通信部５３からリモートコントロール装置８０を送信先とした無線信号として送信させてステップＳＴ４４に進む。
【００８７】
ステップＳＴ４４でテレビジョン制御部５１は、送信終了通知を行う。テレビジョン制御部５１は、送信終了通知を送信信号ＴＤsとして無線通信部５３に供給する。さらに、テレビジョン制御部５１は、無線通信部５３からリモートコントロール装置８０を送信先とした無線信号として送信させてソフトウェアの更新を終了する。
【００８８】
図１０のステップＳＴ５１でリモコン制御部８８は更新ソフトウェアの送信通知がなされたか否かを判別する。リモコン制御部８８は、テレビジョン装置２０から更新ソフトウェアの送信通知が供給されたときステップＳＴ５２に進み、送信通知が供給されていないときはステップＳＴ５７に進む。
【００８９】
ステップＳＴ５２でリモコン制御部８８は、動作モードを間欠受信モードから通常モードに切り換えてステップＳＴ５３に進む。間欠受信モードでテレビジョン装置２０からの無線信号を受信する場合、テレビジョン装置２０から更新ソフトウェアが供給されたときにはデータの欠落が生じてしまい、リモートコントロール装置８０で正しい更新ソフトウェアを得ることができない。このため、更新ソフトウェアを正しく伝送することができるように動作モードを間欠受信モードから通常モードに切り換える。
【００９０】
ステップＳＴ５３でリモコン制御部８８は、更新ソフトウェアの受信処理を行う。リモコン制御部８８は、テレビジョン装置２０から供給された更新ソフトウェアを例えばメモリ部８９に一時保持させてステップＳＴ５４に進む。
【００９１】
ステップＳＴ５４でリモコン制御部８８は、送信終了通知がなされたか否かを判別する。リモコン制御部８８は、テレビジョン装置２０から送信終了通知が供給されたときステップＳＴ５５に進み、送信終了通知が供給されていないときはステップＳＴ５３に戻る。
【００９２】
ステップＳＴ５５でリモコン制御部８８は、動作モードを通常モードから間欠受信モードに切り換えて、リモートコントロール装置８０の消費電力を低減させてステップＳＴ５６に進む。
【００９３】
ステップＳＴ５６でリモコン制御部８８は更新を実行する。すなわち、リモコン制御部８８はテレビジョン装置２０から供給されて一時保持されている更新ソフトウェアが、メモリ部８９に記憶されているソフトウェアの一部を変更するあるいは記憶されているソフトウェアに追加されるものであるとき、ソフトウェアの書き換えや追加を行う。また、リモコン制御部８８は、供給された更新ソフトウェアが、メモリ部８９に記憶されているソフトウェアと置き換えられるものであるとき、メモリ部８９に記憶されているソフトウェアを、テレビジョン装置２０から供給されて保持されている更新ソフトウェアに置き換えてステップＳＴ５１に戻る。
【００９４】
ステップＳＴ５１で更新ソフトウェアの送信通知がないと判別されてステップＳＴ５７に進むと、リモコン制御部８８は、ステップＳＴ３１と同様にリモコン信号送信処理を行ってステップＳＴ５１に戻る。
【００９５】
このようにすれば、インターホン６０の機能の追加や新たなインターホンの設置等が行われても、容易にリモートコントロール装置８０を対応させることができる。また、インターホン６０の機能の追加や新たなインターホンの設置等が行われても、テレビジョン装置２０はソフトウェア等の変更を行う必要がなく新たなインターホンとのペアリングも不要であり、インターホン６０の機能の追加や新たなインターホンの設置等を容易に行うことができる。
【図面の簡単な説明】
【００９６】
【図１】リモートコントロールシステムの構成を示す図である。
【図２】テレビジョン装置の構成を示す図である。
【図３】インターホンの構成を示す図である。
【図４】リモートコントロール装置の構成を示す図である。
【図５】リモートコントロール装置の外観を示す図である。
【図６】インターホンの動作を示すフローチャートである。
【図７】リモートコントロール装置の動作を示すフローチャートである。
【図８】来訪者通知表示が行われたときの表示画面例を示す図である。
【図９】ソフトウェア更新を行うときのテレビジョン装置の動作を示すフローチャートである。
【図１０】ソフトウェア更新を行うときのリモートコントロール装置の動作を示すフローチャートである。
【符号の説明】
【００９７】
１０・・・リモートコントロールシステム、２０・・・テレビジョン装置、２１，５４，６６，８７・・・アンテナ、２２・・・フロントエンド部、２３・・・デマルチプレクサ、２４・・・デコーダ部、２５・・・外部入力端子、２６・・・入力切換部、３１・・・映像信号処理部、３２・・・重畳処理部、３３・・・表示部、４１・・・音声信号処理部、４２，６３，８４・・・スピーカ、５１・・・テレビジョン制御部、５２，８９・・・メモリ部、５３，６５，８６・・・無線通信部、６０・・・インターホン、６１・・・呼出ボタン、６２，８３・・・マイクロホン、６４，８５・・・音声入出力部、６７・・・インターホン制御部、８０・・・リモートコントロール装置、８１・・・操作キー部、８２・・・リモコンコード生成部、８８・・・リモコン制御部、８１１・・・電源キー、８１２・・・アップ／ダウンキー、８１３・・・通話キー
【図１】
2009010644.tif 000003
【図２】
2009010644.tif 000004
【図３】
2009010644.tif 000005
【図４】
2009010644.tif 000006
【図５】
2009010644.tif 000007
【図６】
2009010644.tif 000008
【図７】
2009010644.tif 000009
【図８】
2009010644.tif 000010
【図９】
2009010644.tif 000011
【図１０】
2009010644.tif 000012